(57)【要約】    【課題】  耐久性のある天板はそのまま利用し、システムキッチン収納部のみをリニューアルすることにより、素人にも手軽に、かつ安い費用でリニューアルすることができ、しかも高級感溢れた美観や使い勝手に優れるリニューアル用キャビネットユニット部材及びシステムキッチンを提供すること。    【解決手段】  扉１１と側壁パネル１２とスライド蝶番１３とを含んで構成され、扉１１が、リニューアルが行われるキャビネット前面の扉に対応する大きさで、少なくとも前面１１ａが化粧板で構成され、側壁パネル１２が、リニューアルが行われるキャビネットの内側側壁にほぼ対応する大きさに構成されて、リニューアルが行われるキャビネットの内側側壁に取り付けられるものであり、扉１１と側壁パネル１２とがスライド蝶番１３によって連結される。側壁パネル１２に代えて、スライド蝶番固定金具を用いることもできる。【選択図】図２
2005058331.tif 000002
【特許請求の範囲】
【請求項１】
扉と側壁パネルとスライド蝶番とを含んで構成されたシステムキッチンの収納部のリニューアル用キャビネットユニット部材であって、
前記扉が、リニューアルが行われるキャビネット前面の扉に対応する大きさで、少なくとも前面が化粧板で構成され、
前記側壁パネルが、リニューアルが行われるキャビネットの内側側壁にほぼ対応する大きさに構成されて、前記リニューアルが行われるキャビネットの側壁内側に取り付けられるものであり、
前記扉と前記側壁パネルとが、前記スライド蝶番によって連結されるものであることを特徴とするリニューアル用キャビネットユニット部材。
【請求項２】
扉とスライド蝶番と該スライド蝶番を固定するスライド蝶番固定金具とを含んで構成されたシステムキッチンの収納部のリニューアル用キャビネットユニット部材であって、
前記扉が、リニューアルが行われるキャビネット前面の扉に対応する大きさで、少なくとも前面が化粧板で構成され、
前記スライド蝶番固定金具が、前記スライド蝶番が固定されるスライド蝶番固定部と、該スライド蝶番固定部を支持する支持部とを含んで構成されて、前記リニューアルが行われるキャビネットの側壁の前縁部に固定されるものであり、
前記扉が、該扉と前記スライド蝶番固定金具のスライド蝶番固定部とに固定される前記スライド蝶番を介して、前記リニューアルが行われるキャビネットに取り付けられるものであることを特徴とするリニューアル用キャビネットユニット部材。
【請求項３】
引出とスライドレールとスライドレール支持材とを含んで構成されたシステムキッチンの収納部のリニューアル用キャビネットユニット部材であって、
前記引出が、リニューアルが行われるキャビネットの引出に対応する大きさで、側板の底部近傍に前記スライドレールのインナーメンバが固定されるとともに、前板の少なくとも前面が化粧板で構成され、
前記スライドレールのアウターメンバが、前記リニューアルが行われるキャビネットの側壁における、前記引出に固定されるインナーメンバに対応する位置に固定されるものであり、
前記スライドレール支持材が、前記リニューアルが行われるキャビネットの側壁に固定されるアウターメンバの下端部を支えるように、前記キャビネットの側壁に固定されるものであることを特徴とするリニューアル用キャビネットユニット部材。
【請求項４】
前記化粧板が、ポストフォーム加工されたメラミン樹脂板であることを特徴とする請求項１〜３のいずれかの項に記載のリニューアル用キャビネットユニット部材。
【請求項５】
シンク部を含むワークトップ部と、該ワークトップ部の下方に設けられた収納部とを含んで構成されたシステムキッチンであって、
前記収納部が、請求項１〜３に記載のリニューアル用キャビネットユニット部材のうちの少なくとも１つを含んで構成されていることを特徴とするシステムキッチン。
【発明の詳細な説明】
【技術分野】
【０００１】
本発明は、システムキッチンの収納部のリニューアル用キャビネットユニット部材及びこの部材を利用することによってリニューアルされたシステムキッチンに関する。
【背景技術】
【０００２】
システムキッチンは、流し台、調理台、ガス台などが１枚の継ぎ目のない天板または２枚程度の接合された天板を用いて一体的に組み合わされたものである。そして、流し台のシンク部の下方および調理台の下方は、主に収納部として利用されている。収納部のタイプには、内側が棚となっている扉（開き戸）式や引出式があり、最近は収納効率に優れた引出式が多くなってきている。
【０００３】
図１は、従来のシステムキッチンのうち、調理台とシンク部に相当する部分の収納部の構造を示す要部斜視図であり、（ａ）は調理台下方の引出式の収納部、（ｂ）はシンク部下の収納部の例である。
【０００４】
図１（ａ）に示した収納部が引出式収納部１ａの場合には、天板３の下方のスペースに４段の引出２（１つのみ図示）を備えている。収納部１ａの仕切板４には桟５が取り付けられており、桟５で引出２を支持し、引出２の出し入れが可能なように構成されている。
【０００５】
このタイプの場合、摩擦が大きいため、引出２のスムーズな引き出しと押し込みに難があり、また、収納部１ａから引出２を引き出すスライド長さが、引出２が桟５から外れない長さで、落下する恐れがない長さ以内に限定されるので、引出の奥が使いにくく使用効率が高いとは言えない。また、桟５と引出２の滑り面、すなわち桟５の接触面５ａと引出２の接触面２ａに、摩滅や変形が生じやすく、引出２の滑りが悪くなることがある。したがって、使い勝手がいいとは言い難い。
【０００６】
また、上記の収納部１ａが引出ではなく、前面が扉で内部に棚が設けられた棚式の場合であっても、奥に収納してあるものの出し入れが不便なため棚の奥が使い難く、収納スペースが有効に使われていないという難点がある。
【０００７】
図１（ｂ）に示した収納部が、シンク部８ａの下に位置する収納部１ｂの場合には、前面に扉６が取り付けられ、内部には棚などがなく空間となっている。シンク部８ａの下は、空間部の高さが低いことに加えて、トラップ９や排水管９ａ及び浄水器設備（図示せず）などが張り出しているため、図１（ｂ）に示したように、引出や棚が設けられていないのが一般的である。したがって、通常、収納部１ｂの底部７の上に、直接容器や台所用品が置かれ、収納部１ｂの上部空間に空きが多い状態で使用され、シンク部８ａの下の収納部１ｂが有効に利用されていないのが実態である。
【０００８】
上記のようなシステムキッチンは、天板３の表面材には、主に人造大理石、ステンレス鋼板、メラミン樹脂化粧板などが使われている。これらの天板３は耐久性に優れているので、比較的傷みが生じにくく、長期間使用されても外観はそれほど悪くなるものではない。
【０００９】
一方、シンク部８ａや天板３を含む調理台の上部（以下、両者を合わせて「ワークトップ部」と記す）の下方の収納部１ａ、１ｂにおいては、引出２の表面や扉６の汚れや傷み、または上述のように引出２等の滑り面に不具合が生じやすい。また、従来のものは塗装仕上げで美観に優れず、高級感を伴わないものも多い。そのために、リニューアルを希望する消費者も多い。また、それらの不具合が生じるまでに至らない場合でも、上記のような収納効率が低い欠点を解消したいということや、最近の美観に優れた素晴らしい仕上げ面を有する高級感溢れたものに模様替えをしたいといった願望が生じることが多い。
【００１０】
しかし、システムキッチンのリニューアルをしようとすると、前述のように、ワークトップ部と収納部１ａ、１ｂとが一体的に構成されているので、現状ではすべてを入れ替えなければならないという問題がある。まだ入れ替える必要のないワークトップ部はそのまま残し、収納部１ａ、１ｂのみをリニューアルすることができない。そのために、リニューアルに必要な設備の購入費や据え付けのための工事費が嵩み（例えば、３０万円〜１５０万円程度を要する）、安い費用で手軽にリニューアルすることができないという難点がある。
【００１１】
他方、スペースを有効に利用することにより、収納効率を上げる対策が講じられたキャビネットや収納部については、数多くの提案が行われている。しかし、いずれも新規の設備を対象としており、既設の収納部、特にシステムキッチンの収納部のみのリニューアルを対象とした提案はほとんど見当たらない。
【００１２】
新規に設けられるキャビネットでは、例えば食器洗浄乾燥機を組み込むことができるとともに、無駄なスペースをなくし有効なスペースを確保することができる厨房家具用キャビネット（例えば、特許文献１参照）などが提案されているが、システムキッチンのワークトップ部下方の収納部のみのリニューアルに適用することはできない。
【００１３】
最近では日曜大工で建物の改装などを試みる人が増えてきているので、リニューアル用のキャビネットユニットが簡単に入手できれば、日曜大工でリニューアルを行う人もいるはずである。本出願人は、既に、素人でも簡単に組み立てることができるキャビネットを提案した（特許文献２）。
【００１４】
本出願人が上記特許文献２で開示したリニューアル用キャビネットユニットは、ワークトップを残したまま、キャビネット部のみを、キャビネット内に配置する箱体を利用してリニューアルするものであり、日曜大工程度で簡単に、かつ安いコストでリニューアルすることができるという利点があり、リニューアル用として優れている。
【００１５】
一方、上記のように、キャビネット内に配置する箱体を使わないリニューアルの方が適している場合もある。
【特許文献１】特開2001-8753号公報
【特許文献２】登録実用新案公報第3094417号
【発明の開示】
【課題を解決するための手段】
【００１６】
本発明は、上記のような課題を解決するためになされたものであって、システムキッチンのワークトップ部を除く収納部のみを、素人にも手軽に、かつ安い費用でリニューアルすることができ、しかも高級感溢れた美観や使い勝手に優れるリニューアル用キャビネットユニット部材及びシステムキッチンを提供することを目的としている。
【００１７】
上記目的を達成するために本発明に係るリニューアル用キャビネットユニット部材（１）は、扉と側壁パネルとスライド蝶番とを含んで構成されたシステムキッチンの収納部のリニューアル用キャビネットユニット部材であって、前記扉が、リニューアルが行われるキャビネット前面の扉に対応する大きさで、少なくとも前面が化粧板で構成され、前記側壁パネルが、リニューアルが行われるキャビネットの内側側壁にほぼ対応する大きさに構成されて、前記リニューアルが行われるキャビネットの側壁内側に取り付けられるものであり、前記扉と前記側壁パネルとが、前記スライド蝶番によって連結されるものであることを特徴としている。
【００１８】
上記リニューアル用キャビネットユニット部材（１）によれば、扉及び側壁パネルの大きさが、リニューアルを行いたい収納部の大きさに合うように作製されており、スライド蝶番を用いてネジ止めする程度で取り付けられるので、例え素人であっても、システムキッチンの収納部のみを簡単にリニューアルすることができる。また、天板を含むワークトップ部を更新する必要はないので、極めて安い費用で手軽にリニューアルすることが可能である。さらに、蝶番にはスライド蝶番が用いられているので、扉の位置を前後、左右に微調整することができる。そのために、扉を正確な位置に取り付けることができる。また、スライド蝶番を用いているので、蝶番が外部からみえることがなく、さらにキャビネットの側壁の木口を見えないようにすることができるので、見映えに優れている。さらに、側壁パネルを用いているので、扉を取り付けるキャビネットの側壁が薄い板材のような場合であっても、あるいは側壁が傷んでいる場合であっても、スライド蝶番を介して、側壁に対して、扉を強固に固定することができる。
【００１９】
また、本発明に係るリニューアル用キャビネットユニット部材（２）は、扉とスライド蝶番と該スライド蝶番を固定するスライド蝶番固定金具とを含んで構成され、前記扉が、リニューアルが行われるキャビネット前面の扉に対応する大きさで、少なくとも前面が化粧板で構成され、前記スライド蝶番固定金具が、前記スライド蝶番が固定されるスライド蝶番固定部と、該スライド蝶番固定部を支持する支持部とを含んで構成されて、前記リニューアルが行われるキャビネットの側壁の前縁部に固定されるものであり、前記扉が、該扉と前記スライド蝶番固定金具のスライド蝶番固定部とに固定される前記スライド蝶番によって、前記リニューアルが行われるキャビネットに取り付けられるものであることを特徴としている。
【００２０】
上記リニューアル用キャビネットユニット部材（２）によれば、扉及びスライド蝶番固定金具が、リニューアルを行いたい収納部の大きさに合うように作製されており、スライド蝶番を用いてネジ止めする程度で取り付けられるので、例え素人であっても、システムキッチンの収納部のみを簡単にリニューアルすることができる。また、天板を含むワークトップ部を更新する必要はないので、極めて安い費用で手軽にリニューアルすることが可能である。さらに、蝶番にはスライド蝶番が用いられているので、扉の位置を前後、左右に微調整することができる。そのために、扉を正確な位置に取り付けることができる。また、スライド蝶番を用いているので、蝶番が外部からみえることがなく、さらにキャビネットの側壁の木口を見えないようにすることができるので、見映えに優れている。さらに、前記スライド蝶番固定金具を用いているので、スライド蝶番固定金具へのスライド蝶番の取り付け位置を自在にスライドさせて、最適位置に正確に取り付けることができ、また扉を取り付けるキャビネットの側壁の心材が細い場合であっても、スライド蝶番を介して、側壁に対して、扉を強固に固定することができる。
【００２１】
また、本発明に係るリニューアル用キャビネットユニット部材（３）は、引出とスライドレールとスライドレール支持材とを含んで構成され、前記引出が、リニューアルが行われるキャビネットの引出に対応する大きさで、側板の底部近傍に前記スライドレールのインナーメンバが固定されるとともに、前板の少なくとも前面が化粧板で構成され、前記スライドレールのアウターメンバが、前記リニューアルが行われるキャビネットの側壁における、前記引出に固定されるインナーメンバに対応する位置に固定されるものであり、前記スライドレール支持材が、前記リニューアルが行われるキャビネットの側壁に固定されるアウターメンバの下端部を支えるように、前記キャビネットの側壁に固定されるものであることを特徴としている。
【００２２】
上記リニューアル用キャビネットユニット部材（３）によれば、引出及びスライドレールが、リニューアルを行いたい収納部の大きさや位置に合うように作製されており、ネジ止めする程度で取り付けられるので、例え素人であっても、システムキッチンの収納部のみを簡単にリニューアルすることができる。また、天板を含むワークトップ部を更新する必要はないので、極めて安い費用で手軽にリニューアルすることが可能である。また、スライドレールの使用により、引出の奥の部分まで前方に引き出すことができるので、引出を有効に活用することができる。また、前記スライドレール支持材の存在により、長期の使用においても前記スライドレールに狂いが生じることがなく、気持ちのいい使い心地を長期間維持させることができる。
【００２３】
また、本発明に係るリニューアル用キャビネットユニット部材（４）は、上記リニューアル用キャビネットユニット部材（１）〜（３）のいずれかにおいて、前記化粧板が、ポストフォーム加工されたメラミン樹脂板であることを特徴としている。
【００２４】
上記リニューアル用キャビネットユニット部材（４）によれば、上記のリニューアル用キャビネットユニット部材（１）〜（３）のいずれかによって得られる効果に加えて、扉又は引出の前面がポストフォーム加工されたメラミン樹脂となっているので、耐食性や耐汚性に優れているとともに、美観や安全性に優れるという効果が得られる。
【００２５】
また、本発明に係るシステムキッチンは、シンク部を含むワークトップ部と、該ワークトップ部の下方に設けられた収納部とを含んで構成されたシステムキッチンであって、前記収納部が、上記リニューアル用キャビネットユニット部材（１）〜（３）のうちの少なくとも１つを含んで構成されていることを特徴としている。
【００２６】
上記システムキッチンによれば、ワークトップ部を除く収納部だけがリニューアルされているので、リニューアルに要する費用が極めて安い。また、スライド蝶番やスライドレールを用いて構成されているので、使い勝手、使い心地に優れたシステムキッチンにリニューアルすることができる。さらに、収納部のキャビネットの前面を、ポストフォーム加工されたメラミン樹脂で構成することが可能であり、その場合には、全体が美しく統一され、かつ美観や安全性に優れたシステムキッチンとすることができる。また、メラミン樹脂が用いられたキャビネットユニットは、表面が汚れや腐食に強く、いつまでも美観を損なわないという特長を有している。
【００２７】
なお、本明細書の説明においては、スライドレールアウターメンバがキャビネットの側壁に、インナーメンバが引出に取り付けられるとしているが、これらの用語は便宜的に用いたものである。すなわち、構造上スライドレールのアウターメンバとインナーメンバとを逆に使用可能な場合であっても、側壁に取り付けるものをアウターメンバ、引出に取り付けるものをインナーメンバと呼ぶ。
【発明を実施するための最良の形態】
【００２８】
以下、本発明の実施の形態に係るシステムキッチン収納部のリニューアル用キャビネットユニット部材及びこのリニューアル用キャビネットユニット部材を使用することによってリニューアルされたシステムキッチンを、図面を参照して説明する。なお、以下に示す図において、同じ部材又は同じ箇所には同一の符号を付して、重複する説明を省略することとする。
【００２９】
図２は、実施の形態（１）に係るリニューアル用キャビネットユニット部材を示す斜視図である。また、図３は、実施の形態（１）に係るリニューアル用キャビネットユニット部材を、キャビネットに取り付ける手順を示す斜視図であり、（ａ）はリニューアルするキャビネットに取り付ける前の状態、（ｂ）はキャビネットに取り付けた後の状態を示す図である。実施の形態（１）に係るリニューアル用キャビネットユニット部材（以下、単に「キャビネットユニット部材」と記す）１は、扉１１と側壁パネル１２と少なくとも２つのスライド蝶番１３とを含んで構成されており、これらの部材一式によってキャビネット１４がリニューアルされる。
【００３０】
図２に示した扉１１は、その大きさがリニューアルされるキャビネットの前面の大きさに対応している。例えば、キャビネット１４の木口１４ａ（図３参照）を含む大きさ又は木口の内側に入る大きさ等、リニューアルされるキャビネット１４に応じて変わるものである。また、扉１１の少なくとも前板１１ａの前面は、メラミン樹脂板、ポリエステル樹脂板、ハイグロスシートなどの化粧板によって構成されている。扉１１の端面１１ｂも、これらの化粧板によって構成されていることが好ましい。化粧板は、扉１１の見栄えを向上させるとともに、汚れを防ぎ、特にメラミン樹脂は耐熱性を向上させる効果を有している。
【００３１】
側壁パネル１２は、リニューアルされるキャビネット１４の側壁１５の内側１５ａ（図３参照）に対応する大きさであり、スライド蝶番１３の本体固定部１３ａを取り付ける際に、スライド蝶番支持材としての役割を果たすものである。その他、キャビネットの内側をリニューアルする効果もある。その厚さは約５〜１２ｍｍである。この側壁パネル１２によるスライド蝶番支持材としての補強が必要な理由は、下記のとおりである。
【００３２】
図４は、キッチンキャビネットの側壁の一般的な断面構造を例示する水平方向の断面図である。側壁１５は、通常フラッシュ構造と呼ばれる構造であり、端部の心材１５ｂと心材の両面に貼られた板材１５ｃによって構成され、２枚の板材の間は、心材１５ｂを除く部分が空洞となっている。この側壁１５にスライド蝶番１３の本体固定部１３ａを取り付けることになる。上記の側壁１５の板材１５ｃは、厚さが高々３ｍｍ程度の合板であり、強度がないので、この板材１５ｃにスライド蝶番１３の本体固定部１３ａを取り付けることはできない。スライド蝶番１３の本体固定部１３ａを、心材１５ｂの位置にネジ等により取り付けることができればしっかりと固定できるが、通常心材１５ｂの幅ｗが狭いので、心材１５ｂに取り付けられないことが多い。厚さ約５〜１２ｍｍの側壁パネル１２を用いることにより、この側壁パネル１２にスライド蝶番１３の本体固定部１３ａをしっかりと取り付けることができるようになる。
【００３３】
図５は、一般的なスライド蝶番１３の構成を示す斜視図である。スライド蝶番１３は、本体固定部１３ａと扉固定部１３ｂとで構成され、本体固定部１３ａの凸部１３ａ−１に、扉固定部１３ｂの溝形部１３ｂ−１が、前後移動可能に嵌合するようになっている。また、本体固定部１３ａには、キャビネット側壁１５に固定するためのネジ用の孔１３ａ−２、扉固定部１３ｂには、扉１１に固定するためのネジ用の孔１３ｂ−２が設けられている。
【００３４】
スライド蝶番１３は、扉１１をキャビネット１４に取り付けた際に、扉１１の前後方向、左右方向の微調整を行うことができる機能を有している。そのため、扉１１の横方向の位置、扉１１の前後方向の張り出しを調整して、各扉の幅方向（左右）や面の位置（前後）のずれを調整することが可能であり、リニューアルには極めて適した蝶番である。
【００３５】
なお、上記のリニューアル用キャビネットユニット部材１０において、側壁パネル１２の奥行きは、必ずしもキャビネット１４の側壁１５の奥行きと同じである必要はない。スライド蝶番１３の本体固定部１３ａを取り付けることができればいいので、キャビネット１４の側壁１５の奥行きより小さくてもよい。
【００３６】
なお、側壁パネル１２のスライド蝶番１３の本体固定部１３ａには、予め所定の位置にスライド蝶番１３を取り付けるためのネジ孔を設けておくのがよい。ネジ孔を設けておくことにより、リニューアルの際の作業性をいっそう向上させることができる。
【００３７】
上記の実施の形態（１）に係るリニューアル用キャビネットユニット部材１０、すなわち、扉１１、側壁パネル１２及びスライド蝶番１３を用いてリニューアルを行う場合には、図３（ａ）に示したように、はじめに、扉１１にスライド蝶番１３の扉固定部１３ｂ、側壁パネル１２にスライド蝶番１３の本体固定部１３ａをネジ止めする。次に、側壁パネル１２を、キャビネット１４の側壁１５の内側１５ａに、ネジなどで固定する。この場合、図４に示した心材１５ｂの位置にネジなどで固定するのがよい。次に、図３（ｂ）に示したように、扉１１に取り付けたスライド蝶番１３の扉固定部１３ｂを、側壁パネルに取り付けたスライド蝶番１３の本体固定部１３ａに取り付ける。その後、スライド蝶番１３を微調整することにより、扉１１の前後、左右の位置を修正する。
【００３８】
上記の手順だけで、キャビネット１４に扉１１を取り付けることができるので、作業に熟練を要することなく、簡単にキャビネット１４をリニューアルすることができる。さらに、キャビネット１４の側壁１５に、スライド蝶番１３の本体固定部をしっかりとネジ止めすることができる心材がない場合でも、扉１１をキャビネット１４に強固に固定することができる。
【００３９】
図６は、本発明の実施の形態（２）に係るリニューアル用キャビネットユニット部材を示す斜視図である。図６に示したリニューアル用キャビネットユニット部材２０は、扉１１、スライド蝶番１２及びスライド蝶番固定金具２１を含んで構成されている。
【００４０】
また、図７は、図６に示したスライド蝶番固定金具２１の詳細及び扉１１がキャビネット１４の側壁１５に取り付けられた状態を示す図であり、（ａ）はスライド蝶番固定金具２１の詳細を示す斜視図、（ｂ）はスライド蝶番固定金具２１を使用することにより、扉１１がキャビネット１４の側壁１５に取り付けられた状態を示す部分拡大断面図である。
【００４１】
リニューアル用キャビネットユニット部材２における扉１１とスライド蝶番１３は、実施の形態（１）に係るリニューアル用キャビネットユニット部材１に用いられているものと同じであるので、ここではその説明を省略する。
【００４２】
図６に示したリニューアル用キャビネットユニット部材２におけるスライド蝶番固定金具２１は、リニューアルを行うキャビネット１４の側壁１５の前縁部１５ｄ（図７参照）、すなわちスライド蝶番１３の本体固定部１３ａが取り付けられる位置に固定されるものである。
【００４３】
図７（ａ）、（ｂ）に示したように、スライド蝶番固定金具２１は、断面形状がＬ字形の細長い支持部２１ａとこの支持部２１ａと一体的に形成されたスライド蝶番固定部２１ｂとを含んで構成されている。スライド蝶番固定部２１ｂは、支持部２１ａのほぼ全長にわたって設けられており、支持部２１ａとの間に空間部２１ｃが設けられ、長さ方向のほぼ中央部にスリット２１ｄが形成されている。すなわち、スライド蝶番固定部２１ｂは、Ｌ字形の形材の長辺側端部が、間をあけて向かい合わせで支持部２１ａに接合された態様をしている。
【００４４】
図７（ｂ）に示したように、スライド蝶番１３の本体固定部１３ａは、スライド蝶番１３の本体固定部１３ａのネジ孔１３ａ−２（図５参照）と、スライド蝶番固定金具２１のスリット２１ｄとを介して、ボルト２２と、スライド蝶番固定金具２１の空間部２１ｃに装入されたナット２３とによって、スライド蝶番固定金具２１に締め付けられる。
【００４５】
図７（ｂ）に示したように、スライド蝶番固定金具２１は、その支持部２１ａが、リニューアルを行うキャビネット１４の側壁１５の前縁部１５ｄに取り付けられるので、図４に示した側壁１５の心材１５ｂに対して、ネジ２４等の手段により、強固に固定される。なお、側壁１５の心材のない薄い板材１５ｃ部分（図４参照）にネジ止めしなければならない場合には、ネジに代えて、板材１５ｃの裏側とスライドレール支持材３３の表面などとの間でかしめる（締め付け力を付与する）ことができるリベットなどの手段を用いることが好ましい。
【００４６】
なお、上記のスライド蝶番固定金具２１は、製作が容易なアルミニウム形材で構成することが好ましい。また、スライド蝶番固定金具２１の長さは、キャビネット１４の側壁１５の高さと同じである必要はなく、それより短くてもよい。さらに、スライド蝶番１３を２個取り付ける場合、スライド蝶番固定金具２１を長さが短い２つに分割して、それぞれのスライド蝶番１３の取り付け位置に別々に取り付けるようにしてもよい。また、図６、図７には、スライド蝶番固定金具２１の支持部２１ａが、Ｌ字形の断面形状をした例を示したが、Ｌ字形である必要はなく、平板状であってもよい。
【００４７】
上記の実施の形態（２）に係るリニューアル用キャビネットユニット部材２０の場合には、スライド蝶番固定金具２１がキャビネット１４の側壁１５にしっかりと固定され、このスライド蝶番固定金具２１に対して蝶番１３の本体固定部１３ａが強固に固定され、その本体固定部１３ａに、扉固定部１３ｂが取り付けられる。したがって、扉１１をキャビネット１４の側壁１５に対して、強固に固定することができる。また、スライド蝶番固定金具２１のスライド蝶番固定部２１ｂにはスリット部２１ｄが設けられているので、スライド蝶番１３の本体固定部１３ａの位置を上下方向に任意に変えることができる。そのため、スライド蝶番１３の取り付けの作業性に優れ、また扉１１の上又は下に隣接する扉や引出の前板の位置に合わせて、扉１１の位置を正確に調節できるという長所がある。
【００４８】
図８は、本発明の実施の形態（３）に係るリニューアル用キャビネットユニット部材を示す図であり、（ａ）はスライドレールのインナーメンバが取り付けられた引出を示す斜視図、（ｂ）はスライドレールのアウターメンバが、リニューアルを行うキャビネットにスライドレール支持材とともに取り付けられた状態を示す斜視図、（ｃ）は引出がキャビネットに取り付けられた状態を示す断面図である。
【００４９】
実施の形態（３）に係るリニューアル用キャビネットユニット部材３０は、引出３１と、インナーメンバ３２ａ及びアウターメンバ３２ｂで構成されるスライドレール３２と、スライドレール支持材３３とを含んで構成されている。
【００５０】
引出３１は、リニューアルを行うキャビネット１４に適用されるものであるため、前板３１ａはキャビネット１４の引出に対応する大きさである。また、前板３１ａの前面には取手（図示省略）が設けられており、前板３１ａの表面は装飾性や見映えを良くするために化粧板により構成されている。引出３１の側板３１ｂの底部近傍には、スライドレール３２のインナーメンバ３２ａが取り付けられている。インナーメンバ３２ａを側板３１ｂの底部近傍に取り付けることにより、引出３１をもっとも強固に支持することができる。
【００５１】
スライドレール３２は、引出３１に取り付けられるインナーメンバ３２ａと、キャビネット１４の側壁１５に取り付けられるアウターメンバ３２ｂとで構成されている。図８には、インナーメンバ３２ａとアウターメンバ３２ｂとを別々に示したが、インナーメンバ３２ａとアウターメンバ３２ｂとで、一式のスライドレール３２が構成される。スライドレール３２には、いくつかのタイプがあるが、ローラーレール底付タイプ、スライドレール２段引・片トラベルタイプ、同じく両トラベルタイプなどいずれも好適である。特に、リニューアル用キャビネットユニット部材３０の場合には、引出３２を前方に十分に引き出せるように、スライドレール２段引タイプ又は３段引タイプが適している。
【００５２】
スライドレール支持材３３は、図８（ｂ）に示したように、キャビネット１４の側壁１５に取り付けられるスライドレール３２のアウターメンバ３２ｂの下端部を支える部材であり、大きさは、厚さが約３〜８ｍｍ、長さが側壁１５のほぼ奥行きに相当するものである。このスライドレール支持材３３を、アウターメンバ３２ｂの下端部に当てるようにして、側壁１５に取り付ける。なお、スライドレール支持材３３は、側壁１５の心材１５ｂ（図４参照）に対して、ネジ止め等の方法により固定することが好ましい。
【００５３】
スライドレール支持材３３の材料は、合板、合成樹脂板、金属材料などいずれも利用可能であるが、合板が加工性や作業性に優れているので、もっとも好ましい。また、金属材料の場合には、断面がＬ字形などの形材としてもよい。Ｌ字形の形材は、合板のように幅や厚さを必要としないので、支持部材の存在が目立ちにくいという利点がある。
【００５４】
また、スライドレールのアウターメンバ３２ｂやスライドレール支持材３３の側壁１５への固定部のうち、側壁１５の心材のない薄い板材１５ｃ部分（図４参照）の固定には、板材１５ｃの裏側とスライドレール支持材３３の表面などとの間を締め付けことができるリベットなどの手段を用いることが好ましい。
【００５５】
なお、図８（ａ）に示した引出３１の側板３１ｂの上部に取り付けられているガイド板３１ｃは、必要に応じて取り付けるものであり、引出３１を滑らかに動かすのに効果的であり、引出３１の側板３１ｂとキャビネットの側板１５との隙間をなくしてくれ、見栄えをよくする。この場合には、ガイド板３１ｃの厚さを調節することにより、キャビネットの側板１５と、引出３１の側板３１ｂとの隙間が０．５〜２ｍｍ程度になるようにするのがよい。
【００５６】
上記の実施の形態（１）〜（３）に係るリニューアル用キャビネットユニット部材１０、２０、３０に用いられている扉１１の前板１１ａや引出３１の前板３１ａの前面は、装飾性や見映えを高めるために、メラミン樹脂やポリエステル樹脂やハイグロスシートなどの化粧板で構成されている。これらの化粧板のうちでも、メラミン樹脂板は、表面硬度が高いので傷が付きにくく、耐久性に優れ、耐水性、耐薬品性、防汚性も高いといった優れた性質を有している。さらに、ポストフォーム加工されたメラミン樹脂板は、角部が曲面加工されているので、安全性に優れるとともに外観に優れるという特長があり、リニューアル用キャビネットユニット部材１０、２０、３０に用いられる化粧板としてもっとも好適である。
【００５７】
図９は、さらに、別の実施の形態に係るリニューアル用キャビネットユニット部材４０を示す斜視図であり、（ａ）は側壁パネルを取り付ける手順を示す図、（ｂ）は底板パネルを取り付ける手順を示す図、（ｃ）は側壁パネル及び底板パネルを取り付けた状態を示す図である。リニューアル用キャビネットユニット部材４０は、リニューアル用キャビネットユニット部材１０又は２０に対して、さらに内張り用の側壁パネル１６及び底板パネル１７が追加されて構成されている。これらの側壁パネル１６及び底板パネル１７は、キャビネット１４の内面のリニューアルに用いられるものである。
【００５８】
側壁パネル１６は、キャビネット１４の側壁内面をリニューアルするためのものであり、側壁の内面に対応する大きさである。底板パネル１７は、特にシンク部８ａ（図１参照）の下方の底板をリニューアルする場合に用いられもので、キャビネット１４の底部に入る大きさである。図９に示したように、排水管９ａが入る大きさの孔を設けた底板パネルの内、排水管の奥に入る部分１７ａを切り離して組み込むことにより、キャビネット１４に容易に取り付けることができる。なお、排水管９ａを引き抜くことができる場合には、１６ａ部を切り離すことなく、一体の底板１７を取り付けることができる。
【００５９】
これらの側壁パネル１６及び底板パネル１７は、合板のような板材でもよいが、特にシンク下のような場所に用いる場合には、耐水性を高め、清潔感を持たせるために、ステンレス鋼板張りとするのがよい。
【００６０】
図１０は、リニューアルするシステムキッチンに実施の形態（１）〜（３）に係るリニューアル用キャビネットユニット部材１０、２０、３０、４０を組み込む場合の寸法測定部を示す図である。リニューアルを行う場合には、はじめに、キャビネット１４のスペースの寸法（高さＨ１、幅Ｗ１、奥行きＬ１）を測定する。その寸法に合わせて、リニューアル用キャビネットユニット部材１０、２０、３０、４０の寸法を決めて、その寸法に合わせてリニューアル用キャビネットユニット部材１０、２０、３０、４０を準備する。
【００６１】
なお、リニューアル用キャビネットユニット部材３０に関しては、各引出３１の前板３１ａの幅と高さ及び側板３１ｂの高さ、リニューアル用キャビネットユニット部材４０に関しては、底板パネル１７のうち排水管９ａの奥に入る部分１７ａの幅と奥行きの寸法測定を行い、その寸法に合わせて、リニューアル用キャビネットユニット部材３０または４０を準備する。
【００６２】
上記の手順の中で、キャビネット１４のスペース部の大きさとリニューアル用キャビネットユニット部材との寸法合わせは、次のような方法で行うことができる。すなわち、キャビネットユニット部材１０、２０、３０、４０の購入者（リニューアルを行う人）は、予めキャビネット１４のスペース部の寸法、高さＨ１、幅Ｗ１、奥行き（長さ）Ｌ１を測定し、その寸法をキャビネットユニット部材１０、２０、３０、４０の提供者に伝える。キャビネットユニット部材１０、２０、３０、４０の提供者は、その寸法に合わせてキャビネットユニット部材１０、２０、３０、４０の寸法を決定し、その大きさのキャビネットユニット部材１０、２０、３０、４０を作製する。
【００６３】
リニューアルをしたい人は、キャビネット１４の寸法を測定し、その測定値を知らせるだけで、キャビネット１４にぴったりと収まるリニューアル用のキャビネットユニット部材１０、２０、３０、４０を手に入れることができる。したがって、素人であっても、簡単にキャビネット１４への取り付けを行うことができる。なお、リニューアル用キャビネットユニット部材１０、２０、３０、４０に関する具体的な取り付け方は、すでに説明したので、ここでは、その説明を省略する。
【００６４】
図１１は、本発明の実施の形態に係るシステムキッチンの外観を示す斜視図である。図１１に示すシステムキッチンは、前述の実施の形態（２）、（３）及び（４）に係るリニューアル用キャビネットユニット部材２０、３０、４０を用いることにより、リニューアルされたシステムキッチンの例である。
【００６５】
図１１に示したシステムキッチンは、シンク部８ａを含むワークトップ部８と、ワークトップ部８の下方に設けられた収納部１とを含んで構成されている。むろん、ワークトップ部８にはコンロ８ｂなどが設けられているのが通常である。図１１に示したシステムキッチンの場合には、収納部１が仕切板（扉等により隠れている）によって仕切られている。なお、コンロ８ｂの下方には、オーブンレンジなどが組み込まれており、収納部としては使われていない。
【００６６】
収納部１ａ〜１ｄのうち、収納部１ａ及び１ｄには、実施の形態（３）に係るリニューアル用キャビネットユニット部材３０、収納部１ｃ及びシンク部８ａの下方に位置する収納部１ｂの左側には、実施の形態（２）に係るリニューアル用キャビネットユニット部材２０、収納部１ｂの右側には、実施の形態（４）に係るリニューアル用キャビネットユニット部材４０が組み込まれている。
【００６７】
各収納部１ａ〜１ｄなどに適用するリニューアル用キャビネットユニット部材のタイプは、各収納部１ａ〜１ｄの形態や使用者の好みに応じて選ぶことができる注文製作となっており、様々な構成のシステムキッチンを形成することができる。また、扉１１の前板１１ａや引出３１の前板３１ａには、リニューアル用キャビネットユニット部材１０、２０、３０、４０の提供者に製作を依頼する際に好みの化粧板を指定することができる。このように自由度が大きいので、本発明に係るリニューアル用キャビネットユニット部材１０、２０、３０、４０は、多くの使用者の希望に添えるものとなる。
【００６８】
さらに、リニューアル後のシステムキッチンにおけるコンロ部８ｂの下方を除く各収納部１ａ〜１ｄのキャビネットの前面を、ポストフォーム加工されたメラミン樹脂で構成する場合には、全体が美しく統一され、かつ美観に優れたものとすることができる。また、表面が汚れや腐食に強く、いつまでも美観を損なわないという特長を有するものとすることができる。
【図面の簡単な説明】
【００６９】
【図１】従来のシステムキッチンのうち、調理台とシンク部に相当する部分の収納部の構造を示す要部斜視図であり、（ａ）は調理台下方の引出式の収納部、（ｂ）はシンク部下の収納部の例である。
【図２】実施の形態（１）に係るリニューアル用キャビネットユニット部材を示す斜視図である。
【図３】実施の形態（１）に係るリニューアル用キャビネットユニット部材を、キャビネットに取り付ける手順を示す斜視図であり、（ａ）はリニューアルするキャビネットに取り付ける前の状態、（ｂ）はキャビネットに取り付けた後の状態を示す図である。
【図４】キッチンキャビネットの側壁の一般的な断面構造を例示する水平断面図である。
【図５】一般的なスライド蝶番の構成を示す斜視図である。
【図６】本発明の実施の形態（２）に係るリニューアル用キャビネットユニット部材を示す斜視図である。
【図７】図６に示したスライド蝶番固定金具の詳細及び扉がキャビネットの側壁に取り付けられた状態を示す図であり、（ａ）はスライド蝶番固定金具の詳細を示す斜視図、（ｂ）はスライド蝶番固定金具を使用することにより、扉がキャビネットの側壁に取り付けられた状態を示す部分拡大断面図である。
【図８】本発明の実施の形態（３）に係るリニューアル用キャビネットユニット部材を示す図であり、（ａ）はスライドレールのインナーメンバが取り付けられた引出を示す斜視図、（ｂ）はスライドレールのアウターメンバが、リニューアルを行うキャビネットにスライドレール支持材とともに取り付けられた状態を示す斜視図、（ｃ）は引出がキャビネットに取り付けられた状態を示す断面図である。
【図９】別の実施の形態に係るリニューアル用キャビネットユニット部材を示す斜視図であり、（ａ）は側壁パネルを取り付ける手順を示す図、（ｂ）は底板パネルを取り付ける手順を示す図、（ｃ）は側壁パネル及び底板パネルを取り付けた状態を示す図である。
【図１０】リニューアルするシステムキッチンに実施の形態（１）〜（３）に係るリニューアル用キャビネットユニット部材を組み込む場合の寸法測定部を示す図である。
【図１１】本発明の実施の形態に係るシステムキッチンの外観を示す斜視図である。
【符号の説明】
【００７０】
１ａ〜１ｄ  収納部
２      引出
３      天板
４      仕切板
６      扉
８      ワークトップ部
８ａ    シンク部
１０、２０、３０、４０    リニューアル用キャビネットユニット部材
１１    扉
１２    側壁パネル
１３    スライド蝶番
１３ａ  本体固定部
１３ｂ  扉固定部
１４    キャビネット
１５    キャビネット側壁
２１    スライド蝶番固定金具
３１    引出
３２    スライドレール
３２ａ  インナーメンバ
３２ｂ  アウターメンバ
３３    スライドレール支持材
【図１】
2005058331.tif 000003
【図２】
2005058331.tif 000004
【図３】
2005058331.tif 000005
【図４】
2005058331.tif 000006
【図５】
2005058331.tif 000007
【図６】
2005058331.tif 000008
【図７】
2005058331.tif 000009
【図８】
2005058331.tif 000010
【図９】
2005058331.tif 000011
【図１０】
2005058331.tif 000012
【図１１】
2005058331.tif 000013